(57)【要約】      （修正有）【課題】既設の遊技機島にも容易に設置でき、遊技機間のスペースを、遊技者の個別の要望に応じて複数の用途を使い分けて活用することが可能な遊技機用の被取付品支持装置を提供する。【解決手段】被取付品支持構造は、設置面２に設置される下地部材５０と、設置面２に取り付けられる少なくとも一つ以上の長矩形状のレール受１０Ａと、レール受１０Ａと着脱自在に係合され、仕切り板の一端に取り付けられるレール２０Ａと、を有し、下地部材５０は、設置面２の決められた位置に設置されたときに、レール受１０Ａまたはレール２０Ａが、隣り合う下地部材５０におけるレール受１０Ａまたはレール２０Ａと、水平方向に揃う位置となるように、予め設定された位置に取付用孔５１（取付部）を有する。【選択図】図２
2009022416.tif 000002
【特許請求の範囲】
【請求項１】
遊技機が隣接して配置される前記遊技機間の設置面に、複数の被取付品のうちの一つを着脱自在に取り付けて支持する被取付品支持構造であって、
前記設置面に設置される下地部材と、
前記下地部材または前記被取付品のいずれか一方に取り付けられるレール受と、
前記レール受と着脱自在に係合され、前記下地部材または前記被取付品のいずれか他方に取り付けられるレールと、を有し、
前記下地部材は、前記設置面の決められた位置に設置されたときに、前記レール受または前記レールが、隣り合う前記下地部材における前記レール受または前記レールと、水平方向に揃う位置となるように、予め設定された位置に取付部を有する
ことを特徴とする遊技機用の被取付品支持構造。
【請求項２】
前記下地部材は、前記レール受と前記レールが係合した位置で、前記被取付品に取り付けられた前記レール受または前記レールの移動を制止するストッパを有する  
ことを特徴とする請求項１に記載の遊技機用の被取付品支持構造。
【発明の詳細な説明】
【技術分野】
【０００１】
本発明は、連続して配置されるパチンコ台、スロット台等の遊技機の間に取り付けられて使用される遊技機用の被取付品支持構造に関する。
【背景技術】
【０００２】
一般に、遊技場においては、パチンコ台やスロット台等の遊技機を隣接させて配置して構成される遊技機島が配置されている。遊技機島には、遊技機間に間柱を介在させて、所定間隔を空けて遊技機が並設されており、従来から、このような隣接する遊技機間の限られたスペースを有効活用するための様々な工夫がなされている。例えば、隣接する遊技機間には、特許文献１に示すような、携帯電話ホルダ、特許文献２に示すような、ドリンクホルダ、特許文献３に示すような、遊技場が提供するおしぼりを一時収容するためのおしぼりホルダ等、遊技者が楽しみながら集中してプレーできるようにするための、各種ホルダが設置されている。さらに、近年高まりつつある遊技場内の分煙化の要望に応えるべく、特許文献４に示すような、パチンコ台及びスロット台等の遊技機の一側端に、空間を仕切るための仕切り板構造を設置することが試みられている。この仕切り板構造は、仕切り板の一端部が回動可能に軸支されており他端部を把持して面内方向へ移動させることで、仕切り板を出し入れ自在とするものである。
また、一般に、遊技機の側端部には、特許文献５に示すような、遊技者への広告宣伝用の、「スタート」、「連続挑戦中」、「確率変動中」等の各種プレートを設置するためのプレートホルダが設置されている。
【０００３】
【特許文献１】特開２００１−２８５４３７号公報
【特許文献２】特開２００１−１８７２６１号公報
【特許文献３】特開２００２−５２２３４号公報
【特許文献４】特開平７−１８５１１４号公報
【特許文献５】特開２００２−０５２２３４号公報
【発明の開示】
【発明が解決しようとする課題】
【０００４】
しかしながら、前記した特許文献１〜３、特許文献５に示す各種ホルダ及び特許文献４に示す仕切り板構造は、それぞれ単一の用途でしか使用できなかった。このため、例えば、喫煙する遊技者にとっては、仕切り板構造の設置は有効でなく、他の用途で、遊技機間の限られたスペースを使用したいという要望があった。
【０００５】
また、遊技場において、既設の遊技機島に、特許文献４の仕切り板構造を設置すると、仕切り板を収容するためのスペースを確保するために遊技機を移動しなければならず、設置作業が煩雑であった。また、仕切り板構造を設置するための設置場所を要するため、遊技機の設置台数が減少する等の不都合が生じる場合があった。
【０００６】
本発明は、前記した従来技術の問題点に鑑みてなされたものであり、既設の遊技機島にも容易に設置でき、隣接する遊技機間のスペースを、遊技者の個別のニーズに応じて複数の用途を使い分けて活用することが可能な遊技機用の被取付品支持構造を提供することを課題とする。
【課題を解決するための手段】
【０００７】
前記した課題を解決するため、本発明の遊技機用の被取付品支持構造は、遊技機が隣接して配置される前記遊技機間の設置面に、複数の被取付品のうちの一つを着脱自在に取り付けて支持する被取付品支持構造であって、前記設置面に設置される下地部材と、前記下地部材または前記被取付品のいずれか一方に取り付けられるレール受と、前記レール受と着脱自在に係合され、前記下地部材または前記被取付品のいずれか他方に取り付けられるレールと、を有し、前記下地部材は、前記設置面の決められた位置に設置されたときに、前記レール受または前記レールが、隣り合う前記下地部材における前記レール受または前記レールと、水平方向に揃う位置となるように、予め設定された位置に取付部を有することを特徴とする。
【０００８】
このような構成によれば、遊技機店の店員等が、被取付品を把持し、設置面に設けた下地部材に沿うように例えば、上方から下方へ向けて操作することにより、下地部材と被取付品に取り付けられたレール受とレールとを、着脱自在に係合支持することができる。また、支持状態にある被取付品を下地部材に沿うように上方に移動させると、レール受とレールの係合状態が解除されて、被取付品を取り外すことができる。これにより、被取付品を設置面に着脱自在に係合支持させることができる。
【０００９】
また、下地部材は、予め設定された位置に取付部を有するので、下地部材が設置面の決められた位置に設置されたときに、レール受またはレールを、取付部を介して設置面に取り付けるだけで、隣り合う下地部材におけるレール受またはレールと水平方向の位置を揃えることができる。すなわち、隣り合う下地部材におけるレール受またはレールの取付位置と同一の高さとすることができる。このため、レール受またはレールの取付位置を個別に調節する必要がない。したがって、既設の遊技機島であっても、被取付品支持構造を容易に設置することができる。また、本発明の被取付品支持構造は、設置面に、複数の被取付品のうちの一つを着脱自在に取り付けて支持することができるので、取り付ける被取付品を、遊技者のニーズや用途に応じて、その都度、交換することができる。
【００１０】
また、前記被取付品支持構造は、前記下地部材は、前記レール受と前記レールが係合した位置で、前記被取付品に取り付けられた前記レール受または前記レールの移動を制止するストッパを有していてもよい。
【００１１】
このような構成によれば、前記した作用に加えて、下地部材はストッパを有するので、レール受とレールが係合した位置で、被取付品に取り付けられたレール受またはレールの移動を制止することができる。
【発明の効果】
【００１２】
本発明の遊技機用の被取付品支持構造によれば、設置面に、既設の遊技機島であっても設置面に被取付品支持構造を容易に設置することができる。また、本発明の遊技機用の被取付品支持構造は、複数の被取付品のうちの一つを着脱自在に取り付けることができるので、遊技者のニーズ等に応じて被取付品を容易に交換することができる。このため、より遊技者のニーズに合致した快適な遊技空間を形成することができる。
【発明を実施するための最良の形態】
【００１３】
以下、本発明の実施形態を適宜図面を参照して説明する。
図１は、第一実施形態に係る被取付品支持構造を示した全体斜視図である。図２（ａ）は、第一実施形態に係る被取付品支持構造のレール受及び下地部材の構成を説明するための斜視図、（ｂ）は、第一実施形態に係る被取付品支持構造のレールの構成を説明するための斜視図である。図３（ａ）は、第一実施形態に係る被取付品支持構造において、仕切り板の支持前の状態を示す側面図、（ｂ）は、第一実施形態に係る被取付品支持構造が仕切り板を支持する様子を上方から見た図である。なお、第一実施形態の説明において、上下左右前後は、図１の矢印に従う。
【００１４】
以下の第一実施形態に係る被取付品支持構造１Ａの説明においては、図１に示すように、連続して配設された既設の遊技機Ｆ，Ｆ・・・によって形成された遊技機島Ｅにおいて、遊技機Ｆと遊技機Ｆの間に配設された間柱の柱面（設置面２）に、第一実施形態に係る被取付品支持構造１Ａが設置される場合を例にする。
【００１５】
第一実施形態に係る被取付品支持構造１Ａは、図１及び図２に示すように、既設の遊技機島Ｅの一部である設置面２に設置される下地部材５０と、下地部材５０に取り付けられる少なくとも一つ以上の長矩形状のレール受１０Ａと、レール受１０Ａと着脱自在に係合され、被取付品Ｐの一端に取り付けられるレール２０Ａと、下地部材５０に設けられた取付用孔５１（取付部）と、を主に有して構成される。なお、被取付品Ｐとは、遊技者の使用に供する部品や、遊技者への宣伝告知のために使用する部品等が該当する。第一実施形態では、被取付品Ｐとして仕切り板４０を使用した場合を例に挙げて説明する。
【００１６】
設置面２は、図１及び図２に示すように、遊技機Ｆと遊技機Ｆの間に垂直に配設された間柱の一部であって、表面が平坦に形成されている。
【００１７】
レール受１０Ａは、図１、図２（ａ）及び図３（ａ）に示すように、レール２０Ａに係合されることにより、仕切り板４０を支持する部材である。第一実施形態におけるレール受１０Ａは、ステンレス鋼製の長矩形部材であり、設置面２に沿うように縦長に配置される。レール受１０Ａは、レール２０Ａと係合しやすいように、四隅が面取りされていることが望ましい。
【００１８】
第一実施形態においては、レール受１０Ａは、その上部及び下部に、例えば、ネジ孔等の貫通孔１１を有している。この貫通孔１１にネジ等の定着具Ｂを挿通させることで、下地部材５０を介して設置面２に固定されている。ここで、レール２０Ａがレール受１０Ａをスライドする際に、定着具Ｂの頭部が邪魔にならないように、例えば、図２（ａ）、図３（ａ）に示すように、貫通孔１１を、定着具Ｂの形状に合わせて形成し、定着具Ｂの全体を埋め込むようにして嵌合させることが好ましい。または、定着具Ｂとして、皿ネジ等の頭部が平坦なネジを用いてもよい。
【００１９】
レール２０Ａは、図１及び図２（ｂ）に示すように、レール受１０Ａに係合されることにより仕切り板４０を支持する部材である。第一実施形態におけるレール２０Ａは、ステンレス鋼製であり、仕切り板４０の左側に配置される左レール部２０ａと、左レール部２０ａに対向するように、仕切り板４０の右側に配置される右レール部２０ｂとを有して構成され、仕切り板４０の一端に着脱自在に取り付けられている。
【００２０】
図２（ｂ）に示すように、このレール２０Ａは、左レール部２０ａと右レール部２０ｂとにそれぞれ左右対称となるスライド部２１と、このスライド部２１に連続して形成した連結部２２と、を有して構成されている。
図２（ｂ）及び図３（ｂ）に示すように、左右のスライド部２１、２１は、それぞれ水平断面視コ字状に形成されており、一対でとしてレール２０Ａを構成したときに、それぞれの内壁面側で、レール受１０Ａの外周面に沿ってスライド自在となるように形成される。
【００２１】
図２（ｂ）及び図３（ｂ）（ｄ）に示すように、左右の連結部２２、２２は、レール２０Ａを仕切り板４０に着脱自在に取り付けるためのものである。この連結部２２、２２は、スライド部２１、２１の一端側を垂直方向に曲折させて形成されている。また、連結部２２、２２の上部及び下部には、レール２０Ａと仕切り板４０とを連結するための連結用孔２３が形成されている。この連結用孔２３には、例えば、ボルト３１とナット３２からなる連結部材３０が取り付けられる。
【００２２】
なお、第一実施形態においては、仕切り板４０の上部及び下部にレール受１０Ａ及びレール２０Ａを取り付けているが、これに限られるものではない。レール受１０Ａ及びレール２０Ａは、仕切り板４０の大きさ、重量等を考慮して、一箇所または三箇所以上取り付けてもよい。
【００２３】
下地部材５０は、設置面２の決められた位置に設置されて、レール受１０Ａを、隣り合う位置のレール受１０Ａと水平方向に揃う位置で設置面２に取り付けるための部材である。第一実施形態における下地部材５０は、ステンレス鋼製の長薄片部材であり、上部及び下部の予め設定された位置に取付用孔５１（特許請求の範囲における「取付部」の一例）を有している。すなわち、取付用孔５１は、下地部材５０の上端及び下端から所定間隔を空けて形成されている。
このように構成された下地部材５０は、図１に示すように、各設置面２の決められた位置に位置決めされるので、隣り合う設置面２における下地部材５０の設置位置と同一の高さとなる。このため、取付用孔５１の水平方向の位置も同一となり、この取付用孔５１を介してレール受１０Ａを各設置面２に取り付けることで、必然的に、隣り合うレール受１０Ａを水平方向に揃う位置とする（隣り合うレール１０Ａの取付位置を同一の高さとする）ことができる。例えば、下地部材５０の取付用孔５１とレール受１０Ａの貫通孔１１を合致させて、貫通孔１１側から設置面２に向かって定着具Ｂを嵌合して、レール受１０Ａを各設置面２に取り付けることで、隣り合うレール受１０Ａ同士の水平方向の位置を揃えることができる。
【００２４】
このように、下地部材５０は、予め設定された位置に取付用孔５１を有するので、レール受１０Ａの取付位置を個別に調節しなくても、下地部材５０を各設置面２の決められた位置に設置し、レール受１０Ａを、取付用孔５１を介して各設置面２に取り付けるだけで、隣り合うレール受１０Ａとの水平方向の位置を揃えることができる。このため、既設の遊技機島にも、被取付品支持構造１Ａを容易に位置を揃えて取り付けることができる。
【００２５】
また、下地部材５０は、レール２０Ａのスライドを制止して支持するためのストッパＳ１を有していることが好ましい。第一実施形態におけるストッパＳ１は、突出部５２と突出片５３とからなる。突出部５２は、第一実施形態では、下地部材５０の下端部を垂直方向に前方へ曲折させて形成されている。また、突出片５３は、平面視Ｌ字状の部材であって、下地部材５０と略同じ幅で形成されており、一辺が下地部材５０に取り付けられ、他辺が下地部材５０に対して垂直方向に前方へ突出している。ストッパＳ１は、レール受１０Ａが、取付用孔５１を介して設置面２に取り付けられたときに、レール受１０Ａの下端部が当接する位置に形成されている。
【００２６】
このようなストッパＳ１を備えることで、レール２０Ａが、レール受１０Ａを上方から下方へスライドして、レール受１０Ａの下端部に到達すると、レール受１０Ａの下端部に当接するストッパＳ１にレール２０Ａの下端部が当接して、レール２０Ａがそれ以上、下方へスライドしないように制止することができる。このように、下地部材５０がストッパＳ１を有することで、レール受１０Ａとレール２０Ａを係合した状態で支持することができる。
【００２７】
なお、第一実施形態に係る被取付品支持構造１Ａでは、ストッパＳ１を、下地部材５０の上部及び下部（突出片５３及び突出部５２）に設けているが、これに限られるものではなく、レール受１０Ａの取付箇所に応じて適宜変更することができることはもちろんである。  
【００２８】
また、第一実施形態に係る被取付品支持構造１Ａは、例えば、レール受１０Ａと下地部材５０との間に介在するスペーサ６０を有していてもよい。
スペーサ６０は、図２（ａ）及び図３（ａ）に示すように、レール受１０Ａを下地部材５０（設置面２）から、所定の間隔を空けて取り付けるための部材である。スペーサ６０は、第一実施形態では、円筒状に形成され、その空洞部分に定着具Ｂが挿通されて、レール受１０Ａ、下地部材５０とともに設置面２に固定されている。
このようなスペーサ６０により、後記するレール２０Ａと下地部材５０の間隔を一定以上空けることができるので、との接触を防止し、レール２０Ａのスライド部２１、２１を、レール受１０Ａに沿って、スムーズにスライドさせることができる。
【００２９】
仕切り板４０は、空間を仕切る板材である。仕切り板４０は、第一実施形態では、平面視矩形の薄いアクリル樹脂板を用いており、仕切り板４０の他端側の上端部分と下端部分を円弧状に面取り加工して形成されている。また、仕切り板４０の一端側の上部及び下部には、レール２０Ａの連結部２２、２２の連結用孔２３の位置に合わせて、連結部材３０を挿通させるための連結用孔４１が二箇所ずつ設けられている。
【００３０】
次に、被取付品支持構造１Ａにおけるレール受１０Ａ及びレール２０Ａの取付方法について説明する。
まず、図２（ａ）及び図３（ａ）に示すように、下地部材５０を設置面２の所定位置に配置し、レール受１０Ａの貫通孔１１と、スペーサ６０の空洞部分と、下地部材５０の取付用孔５１の位置を合致させた状態で、レール受１０Ａ側から定着具Ｂを挿通させて、定着具Ｂの先端側を設置面２に埋め込むことで、これらを設置面２に固定する。一方、図２（ｂ）及び図３（ａ）に示すように、レール２０Ａの左右の連結部２２、２２の連結用孔２３と仕切り板４０の取付用孔４１の位置を合致させた状態で、左右のいずれか一方の連結部２２側から連結部材３０のボルト３１を取り付け、他方の連結部２２側からナット３２を螺合・締結することで、レール２０Ａを仕切り板４０の一端に着脱自在に取り付ける。
【００３１】
次に、このような被取付品支持構造１Ａによる仕切り板４０の着脱方法について説明する。
作業者が仕切り板４０を持ち上げて、図３（ａ）に示すように、設置面２に配置された下地部材５０のレール受１０Ａにレール２０Ａが沿うように、上方から下方に向けて移動させると、仕切り板４０に取り付けられたレール２０Ａのスライド部２１、２１が、レール受１０Ａの外周面に沿って上方から下方へ向けてスライドする。そして、スライド部２１、２１が、レール受１０Ａの下端部に到達すると、スライド部２１、２１の下端部にストッパＳ１が当接し、スライド部２１、２１がそれ以上、下方へスライドすることが制止され、レール２０Ａがレール受１０Ａに係合支持される。このようにして、仕切り板４０を設置面２に取り付けることができる。
【００３２】
一方、仕切り板４０を取り外す場合には、作業者が仕切り板４０を把持して、設置面２に沿って上方に移動させることで、スライド部２１、２１の下端部がストッパＳ１から離れ、スライド部２１、２１がレール受１０Ａの外周面に沿って上方へスライドして、レール２０Ａとレール受１０Ａの係合が解除される。このようにして、仕切り板４０を設置面２から取り外すことができる。
【００３３】
以上説明した第一実施形態に係る被取付品支持構造１Ａによれば、作業者が仕切り板４０を把持して、レール２０Ａ及びレール受１０Ａに沿って操作することで、被取付品Ｐである仕切り板４０の設置面２への取り付け、取り外しを自在に行うことができる。
【００３４】
また、第一実施形態に係る被取付品支持構造１Ａによれば、下地部材５０は、予め設置された位置に取付用孔５１を有するので、レール受１０Ａを、取付用孔５１を介して、設置面２に取り付けるだけで、隣り合うレール受１０Ａとの水平方向の取付位置を揃えることができる。このようにレール受１０Ａの位置決めを容易に行うことができるため、設置現場での作業時間を短縮することができる。また、下地部材５０は、大量生産が可能であるため、比較的安価に、被取付品支持構造１Ａの設置作業をより容易にすることができる。
【００３５】
また、用途に応じて仕切り板４０に替えて、様々な被取付品Ｐを、設置面２に容易に設置することができる。このため、遊技機Ｆ，Ｆ間のスペース（設置面２）を有効活用することができる。
【００３６】
さらに、第一実施形態に係る被取付品支持構造１Ａによれば、設置面２にレール受１０Ａを、仕切り板４０にレール２０Ａをそれぞれ取り付けることにより、既設の遊技機島Ｅであっても、被取付品支持構造１Ａを容易に設置することができる。また、レール受１０Ａ及びレール２０Ａは、大量生産が可能であるため、比較的安価に被取付品支持構造１Ａを設置することができる。
【００３７】
加えて、遊技機Ｆの種類を問わずに被取付品支持構造１Ａを設置することができるので、汎用性を有する。
【００３８】
以下、本発明の最良の実施形態について説明したが、これに限定されるものではなく、本発明の趣旨を変更しない範囲においては適宜変更が可能である。以下に説明する第二ないし第四実施形態では、第一実施形態と重複する部材には同じ符号を付し、重複する説明を省略する。参照する図面において、図４（ａ）は、第三実施形態に係る被取付品支持構造のレール受の構成を説明するための斜視図、（ｂ）は、（ａ）の側面図である。図５は、第四実施形態に係る被取付品支持構造のレールの構成を説明するための図である。
【００３９】
［第二実施形態］
第二実施形態に係る被取付品支持構造は、特に図示はしないが、図２を参照して説明する。第二実施形態に係る被取付品支持構造は、具体的には、第一実施形態に係るレール２０Ａを下地部材５０に取り付け、さらに、レール受１０Ａを仕切り板４０に取り付けることを特徴とする。このとき、第一実施形態ではレール２０Ａに設けた連結部２２を、第二実施形態ではレール受１０Ａに設けることで、取付部材３０により、レール受１０Ａを、仕切り板４０に着脱自在に取り付けることができる。また、第一実施形態ではレール２０Ａのスライド部２１、２１に対して垂直に曲折させて設けた連結部２２、２２に相当する部分を、下地部材５０に平行となるように角度を変えて形成し、かつ、連結用孔２３、２３をスライド部２１、２１よりも外側に配置することで、レール２０Ａを、連結用孔２３、２３と下地部材５０の取付用孔５１を介して設置面２に取り付けることができる。さらに、下地部材５０に設けたストッパＳ１は、レール受１０Ａに形成した連結部２２、２２に相当する部分に対応する位置に形成される。これによれば、隣接するレール２０Ａ同士の水平方向の位置を揃えることができる。
【００４０】
［第三実施形態］
第三実施形態に係る被取付品支持構造は、図４に示すように、レール受１０ＢにストッパＳ２を設けたことを特徴とする。レール受１０Ｂは、レール受１０Ａの下端部を垂直方向に曲折させて形成したストッパＳ２と、ストッパＳ２の端部を垂直方向に曲折させて形成した取付部１２と、を有して構成される。取付部１２には貫通孔１１が設けられており、この貫通孔１１から定着具Ｂを挿通させて設置面２に埋め込むことで、レール受１０Ｂを設置面２に固定することができる。
【００４１】
第三実施形態に係る被取付品支持構造によれば、レール受１０Ｂを設置面２に取り付け、レール２０Ａを被取付品Ｐに着脱自在に取り付けた場合、レール２０Ａがレール受１０Ｂをスライドして、レール２０Ａの下端部がレール受１０Ａの下端部に到達すると、レール２０Ａの下端部がストッパＳ２の上面側に当接するので、レール２０Ａが、それ以上、下方へスライドするのを制止することができる。これによれば、下地部材５０にストッパＳ１を設けた場合と同様の効果を得ることができる。これにより、レール受１０Ｂとレール２０Ａとを係合支持することができる。
【００４２】
また、レール受１０Ｂを被取付品Ｐに取り付ける場合には、レール受１０Ｂを上下反転させて取り付ける（ストッパＳ２をレール受１０Ｂの下端部に位置させる）ことで、前記したのと同様の効果を得ることができる。
【００４３】
［第四実施形態］
第四実施形態に係る被取付品支持構造は、図５に示すように、レール２０ＢにストッパＳ３を設けたことを特徴とする。レール２０Ｂは、レール２０Ａの上端部を垂直方向に曲折させて、レール２０Ａの上端部を覆うように延設されたストッパＳ３を有して構成される。
【００４４】
第四実施形態に係る被取付品支持構造によれば、例えば、レール受１０Ａを設置面２に取り付け、レール２０Ｂを被取付品Ｐに着脱自在に取り付けた場合、レール２０Ｂがレール受１０Ａをスライドして、レール受１０Ａの下端部に到達すると、ストッパＳ３がレール受１０Ａの上端部に当接するので、レール２０Ｂが、それ以上、下方へスライドするのを制止することができる。これにより、レール２０Ｂがレール受１０Ａに係合支持される。なお、レール２０Ｂを設置面２に取り付ける場合には、レール２０Ｂを上下反転させて取り付ける（ストッパＳ３をレール２０Ｂの下端部に位置させる）ことで、前記したのと同様の効果を得ることができる。
【００４５】
第一実施形態から第四実施形態に係る被取付品支持構造は、用途に応じて、仕切り板４０に替えて、複数の被取付品Ｐの中から選択した一つの被取付品Ｐを着脱自在に取り付けることができる。以下、具体例を、図面を参照しながら説明する。図６は、第一実施形態から第四実施形態のいずれかに係る被取付品支持構造で用いる被取付品として、ポップ差しを使用した様子を示す斜視図である。図７は、第一実施形態から第四実施形態のいずれかに係る被取付品支持構造で用いる被取付品として、取っ手を使用した様子を示す斜視図である。図８（ａ）は、第一実施形態から第四実施形態のいずれかに係る被取付品支持構造で用いる被取付品として、テーブルを使用した様子を示す斜視図、（ｂ）は、手首置きを使用した様子を示す斜視図である。図９（ａ）は、第一実施形態から第四実施形態のいずれかに係る被取付品支持構造で用いる被取付品として、携帯電話ホルダを使用した様子を示す斜視図、（ｂ）は、ドリンクホルダを使用した様子を示す斜視図、（ｃ）は、灰皿を使用した様子を示す斜視図である。
【００４６】
図６に示すように、例えば、被取付品支持構造１Ａのレール２０Ａを、ポップ差し７０に設けてもよい。ポップ差し７０は、その表面に、「空き  挑戦者求む」等の遊技者への宣伝告知内容を表示する表示プレート（ポップ）７０ａと、この表示プレート７０ａの一端部を着脱自在に支持するフレーム７０ｂと、を有して構成されている。フレーム７０ｂには、例えば、レール２０Ａを取り付けるための取付用孔（図示せず）が設けられている。なお、フレーム７０ｂは、互いに近接するフレーム端部により、表示プレート７０ａの一端部を挟み込んで支持するように構成されている。
【００４７】
このようにして、ポップ差し７０を設けたレール２０Ａ（レール２０Ｂ）を、設置面２（下地部材５０）に設けたレール受１０Ａ（レール受１０Ｂ）に着脱自在に係合することで、ポップ差し７０を設置面２に着脱自在に取り付けることで、遊技機Ｆ，Ｆ間のスペースをポップ差し７０の設置スペースとしても使用することができる。
【００４８】
また、図７に示すように、例えば、被取付品支持構造１Ａのレール２０Ａを、取っ手７１に設けてもよい。
取っ手７１を用いる場合には、図７に示すように、レール２０Ａにおける連結部２２、２２に、取っ手７１の外径に沿うように膨らませた挟持部２４を設けることが好ましい。これにより、連結部２２、２２と取っ手７１とを密接させることができ、レール２０Ａを安定した状態で取り付けることができる。なお、レール２０Ａを変形させずに、取っ手７１の、連結部２２、２２と当接する部分を、連結部２２、２２の形状に沿うように圧潰しても、同様の効果を得ることができる。
【００４９】
このようにして、取っ手７１を設けたレール２０Ａ（レール２０Ｂ）を、設置面２（下地部材５０）に設けたレール受１０Ａ（レール受１０Ｂ）に着脱自在に係合することで、高齢の遊技者の立ち座りを補助したり、足元に散らばった遊技玉が原因でバランスを崩して転倒し、怪我をしたりすることを防止することができる。
【００５０】
さらに、図８（ａ）に示すように、例えば、被取付品支持構造１Ａのレール２０Ａを、チャンネル材を所定長さに切断した部材を用いる構成としたレール２０Ｃとしてもよい。
このようなレール２０Ｃを、テーブル７２に設けることで、テーブル７２を設置面２に着脱自在に設置することができる。レール２０Ｃは、平面部２５を有し、この平面部２５に、テーブル７２を取り付けることができる。なお、平面部２５には、取り付ける被取付品Ｐに応じて、取付用孔（図示せず）を設けてもよい。
このように、テーブル７２を設けたレール２０Ｃを、設置面２（下地部材５０）に設けたレール受１０Ａ（レール受１０Ｂ）に着脱自在に係合することで、遊技者の目の届く位置に、遊技者の所持品を置くことができる。
【００５１】
図８（ｂ）に示すように、レール２０Ｃを手首置き７３に設けてもよい。レール２０Ｃを、手首置き７３に設けることで、手首置き７３を設置面２に着脱自在に設置することができる。
このように、手首置き７３を設けたレール２０Ｃを、設置面２（下地部材５０）に設けたレール受１０Ａ（レール受１０Ｂ）に着脱自在に係合することで、遊技者がレバーＲ（図１参照）を操作する際に、手首置き７３に荷重をかけることができるので、長時間プレーしても、腕が疲れにくくすることができる。
【００５２】
また、図９（ａ）に示すように、レール２０Ｃを携帯電話ホルダ７４に設けることや、また、図９（ｂ）に示すように、レール２０Ｃをドリンクホルダ７５に設けることや、さらに、図９（ｃ）に示すように、レール２０Ｃを灰皿７６に設けることもできる。
【００５３】
なお、前記したポップ差し７０、取っ手７１、テーブル７２、手首置き７３、携帯電話ホルダ７４、ドリンクホルダ７５、灰皿７６は、適宜公知のものを使用することができる。また、ポップ差し７０を設置面２に取り付ける場合には、遊技者への告知のため、設置面２の上側に取り付けたレール受１０Ａ（レール受１０Ｂ）を使用することが望ましく、テーブル７２、手首置き７３、携帯電話ホルダ７４、ドリンクホルダ７５、灰皿７６を設置面２に取り付ける場合には、遊技者の便宜のため、設置面２の下側に取り付けたレール受１０Ａ（レール受１０Ｂ）を使用することが望ましい。
【００５４】
以上のように、第一実施形態から第四実施形態に係る被取付品支持構造１Ａによれば、当該被取付品支持構造の構成をそのまま用いながら、取り付ける被取付品Ｐを、用途に応じてその都度交換することができるので、簡易な構成で、遊技者のニーズに応じて、遊技機Ｆ，Ｆ間のスペースを有効活用することができる。
【図面の簡単な説明】
【００５５】
【図１】第一実施形態に係る被取付品支持構造を示した全体斜視図である。
【図２】（ａ）は、第一実施形態に係る被取付品支持構造のレール受及び下地部材の構成を説明するための斜視図、（ｂ）は、第一実施形態に係る被取付品支持構造のレールの構成を説明するための斜視図である。
【図３】（ａ）は、第一実施形態に係る被取付品支持構造において、仕切り板の支持前の状態を示す側面図、（ｂ）は、第一実施形態に係る被取付品支持構造が仕切り板を支持する様子を上方から見た図である。
【図４】（ａ）は、第三実施形態に係る被取付品支持構造のレール受の構成を説明するための斜視図、（ｂ）は、（ａ）の側面図である。
【図５】第四実施形態に係る被取付品支持構造のストッパの構成を説明するための図である。
【図６】第一実施形態から第四実施形態のいずれかに係る被取付品支持構造に、ポップ差しを使用した様子を示す図である。
【図７】第一実施形態から第四実施形態のいずれかに係る被取付品支持構造で用いる被取付品として、取っ手を使用した様子を示す斜視図である。
【図８】（ａ）は、第一実施形態から第四実施形態のいずれかに係る被取付品支持構造で用いる被取付品として、テーブルを使用した様子を示す斜視図、（ｂ）は、手首置きを使用した様子を示す斜視図である。
【図９】（ａ）は、第一実施形態から第四実施形態のいずれかに係る被取付品支持構造で用いる被取付品として、携帯電話ホルダを使用した様子を示す斜視図、（ｂ）は、ドリンクホルダを使用した様子を示す斜視図、（ｃ）は、灰皿を使用した様子を示す斜視図である。
【符号の説明】
【００５６】
１Ａ      被取付品支持構造
１０Ａ、１０Ｂ      レール受
２０Ａ、２０Ｂ、２０Ｃ      レール
４０      仕切り板（被取付品Ｐ）
５０      下地部材
５１      取付用孔（取付部）
Ｓ１、Ｓ２、Ｓ３      ストッパ
Ｆ      遊技機
Ｐ      被取付品
【図１】
2009022416.tif 000003
【図２】
2009022416.tif 000004
【図３】
2009022416.tif 000005
【図４】
2009022416.tif 000006
【図５】
2009022416.tif 000007
【図６】
2009022416.tif 000008
【図７】
2009022416.tif 000009
【図８】
2009022416.tif 000010
【図９】
2009022416.tif 000011